(57)【要約】【課題】  軽い操作力で中間グリップを長尺柄の所望の位置に移動させ、簡単な操作で中間グリップを長尺柄の所望の位置に位置決めできる高枝鋏を提供する。【解決手段】  中間グリップ５に高枝鋏１の長尺柄２が挿通される挿通孔部５１を形成し、前記挿通孔部５１の内面にはリブ５２を形成する。前記リブ５２は、長尺柄２の条溝２３ｂに対向する位置に形成する。リブ５２の形状は、リブ５２と条溝２３ｂとを対向させた状態では、対向する条溝２３ｂに遊嵌される形状とし、リブ５２と周面突部２４ｂとを対向させた状態では、リブ５２は周面突部２４ｂに当接する形状とする。中間グリップ５のリブ５２と長尺柄２の条溝２３ｂとを対向させた状態とすれば、軽い操作力で中間グリップ５を長尺柄２の所望の位置に移動させることができ、リブ５２と周面突部２４ｂとを対向させた状態にすれば、中間グリップ５を長尺柄２の所望の位置に位置決めできる。【選択図】  図１
2006280235.tif 000002
【特許請求の範囲】
【請求項１】
外面の長手方向に、１本乃至数本の条溝及び周面突部が形成された長尺柄と、
前記長尺柄の一方に備えられた鋏と、
前記長尺柄の他方に備えられ、前記鋏を操作する操作部と、
前記長尺柄に装着される中間グリップと、を有する高枝鋏であって、
前記中間グリップには、長尺柄が挿通される挿通孔部が形成され、前記挿通孔部の内面にはリブが形成されており、前記リブは、長尺柄の条溝に対向する位置に形成され、リブの形状は、リブと条溝とを対向させて挿通孔部に長尺柄を挿通させた状態では、対向する条溝に遊嵌される形状であるとともに、リブと周面突部とを対向させて挿通孔部に長尺柄を挿通させた状態では、リブは周面突部に当接する形状であることを特徴とする高枝鋏。
【請求項２】
長尺柄に形成される条溝は３本以上であって、各条溝は略等間隔で形成されており、中間グリップのリブは、前記長尺柄の条溝に対向する位置に形成されていることを特徴とする請求項１に記載の高枝鋏。
【請求項３】
中間グリップに形成されるリブは、中間グリップの両端では突出量を小とし、中間グリップの中央に向けて突出量を漸次大とした、案内部を有することを特徴とする請求項１から２のいずれか１項に記載の高枝鋏。
【発明の詳細な説明】
【技術分野】
【０００１】
本発明は、高枝鋏に装着される中間グリップに関する。
【背景技術】
【０００２】
従来から、庭木や果樹の高い位置の枝を剪定等するために、図７に示すような高枝鋏６が使用されている。高枝鋏６は、長尺柄６４の先端に設けた鋏６１を手元の操作部６２により開閉させるようにしたものである。高枝鋏６は、長尺柄６４と、長尺柄６４の一方に備えられた鋏６１と、長尺柄６４の他方に備えられた操作部６２と、長尺柄６４に装着される中間グリップ６３とを備えている。
【０００３】
従来の高枝鋏６の中間グリップ６３は、図８に示すように、長尺柄６４が挿通される挿通孔６５が形成され、前記挿通孔６５の内面には複数の凸条６６が形成されている。凸条６６は、挿通孔６５に長尺柄６４を挿通させた状態では、長尺柄６４の外面に当接する形状である。挿通孔６５に長尺柄６４を挿通させると、長尺柄６４の外面に中間グリップ６３の凸条６６が当接し、その摩擦力によって中間グリップ６３は長尺柄６４の所望の位置に位置決めされる（例えば、特許文献１参照。）。
【０００４】
高枝鋏６を使用する場合は、一方の手で操作部６２を把持し、他方の手で中間グリップ６３を把持することにより、両手で高枝鋏６を支持する。このとき操作部６２と中間グリップ６３との間隔は、使用者の疲労度や高枝鋏６の操作性等に影響する。例えば、比較的長い長尺柄６４を有する高枝鋏６の場合、操作部６２と中間グリップ６３との間隔は広いほうが腕や肩の負担が軽減され、疲労が少ない。一方、操作部６２と中間グリップ６３との間隔は狭いほうが操作性はよい。従って、例えば長尺柄６４の全長を伸縮できる高枝鋏６の場合は、操作部６２と中間グリップ６３との間隔を変更する必要がある。また、操作部６２と中間グリップ６３との間隔は、使用者の好みや体格に応じて変更する必要もある。
【特許文献１】特開平６−６２６６４号公報（第１図）
【発明の開示】
【発明が解決しようとする課題】
【０００５】
しかし、上記従来の高枝鋏６では、中間グリップ６３は、挿通孔６５に長尺柄６４を挿通させると、長尺柄６４のどの位置にあっても凸条６６が当接し、長尺柄６４と中間グリップ６３との間に強い摩擦力が生じてしまう。従って、中間グリップ６３を長尺柄６４の所望の位置に移動させるには、前記摩擦力に抗して、強い操作力で中間グリップ６３を移動させなければならないという問題がある。
【０００６】
本発明は、前記の問題点に鑑みてなされたものであって、操作部と中間グリップとの間隔を変更する場合に、軽い操作力で中間グリップを長尺柄の所望の位置に移動させ、簡単な操作で中間グリップを長尺柄の所望の位置に位置決めできる高枝鋏を提供することを課題とする。
【課題を解決するための手段】
【０００７】
前記目的を達成するため、請求項１に記載の発明では、
外面の長手方向に、１本乃至数本の条溝及び周面突部が形成された長尺柄と、
前記長尺柄の一方に備えられた鋏と、
前記長尺柄の他方に備えられ、前記鋏を操作する操作部と、
前記長尺柄に装着される中間グリップと、を有する高枝鋏であって、
前記中間グリップには、長尺柄が挿通される挿通孔部が形成され、前記挿通孔部の内面にはリブが形成されており、前記リブは、長尺柄の条溝に対向する位置に形成され、リブの形状は、リブと条溝とを対向させて挿通孔部に長尺柄を挿通させた状態では、対向する条溝に遊嵌される形状であるとともに、リブと周面突部とを対向させて挿通孔部に長尺柄を挿通させた状態では、リブは周面突部に当接する形状とした。
【０００８】
請求項２に記載の発明では、請求項１に記載の発明において、長尺柄に形成される条溝は３本以上であって、各条溝は略等間隔で形成されており、中間グリップのリブは、前記長尺柄の条溝に対向する位置に形成することとした。
【０００９】
請求項３に記載の発明では、請求項１から２のいずれか１項に記載の発明において、
中間グリップに形成されるリブは、中間グリップの両端では突出量を小とし、中間グリップの中央に向けて突出量を漸次大とした、案内部を有することとした。
【００１０】
（作用）
従って、請求項１に記載の発明では、中間グリップの挿通孔部の内面に形成されるリブは、長尺柄の条溝に対向する位置に形成され、また、リブの形状は、リブと条溝とを対向させて挿通孔部に長尺柄を挿通させた状態では、対向する条溝に遊嵌される形状である。このため、リブと条溝とを対向させて挿通孔部に長尺柄を挿通させた状態では、長尺柄と中間グリップとの間の摩擦力は弱い。一方、リブと周面突部とを対向させて挿通孔部に長尺柄を挿通させた状態では、リブは周面突部に当接する。このため、長尺柄の軸回りに中間グリップを回転させ、リブと周面突部とを対向させた状態では、長尺柄と中間グリップとの間に強い摩擦力が生じる。
【００１１】
請求項２に記載の発明では、請求項１に記載の発明において、長尺柄に形成される条溝は３本以上であって、各条溝は略等間隔で形成されており、中間グリップのリブも略等間隔で形成されている。このため、長尺柄の軸回りに中間グリップを回転させ、リブと周面突部とを対向させた状態では、略等間隔で形成したリブは均等に周面突部に当接し、中間グリップは均等に変形する。
【００１２】
請求項３に記載の発明では、請求項１から２のいずれか１項に記載の発明において、中間グリップに形成されるリブは、案内部を有するため、中間グリップの挿通孔部に長尺柄を挿通させる場合、中間グリップの両端部分の案内部が長尺柄を案内することとなり、挿通させやすい。
【発明の効果】
【００１３】
以上、請求項１から請求項３に記載の発明によれば、操作部と中間グリップとの間隔を変更する場合には、中間グリップのリブと長尺柄の条溝とを対向させた状態とする。この状態にすれば、長尺柄と中間グリップとの間の摩擦力は弱いため、軽い操作力で中間グリップを長尺柄の所望の位置に移動させることができる。次に、長尺柄に対して中間グリップを位置決めする場合には、長尺柄の軸回りに中間グリップを回転させ、リブと周面突部とを対向させた状態にすればよい。この状態にすれば、長尺柄と中間グリップとの間の摩擦力は強いため、中間グリップを長尺柄の所望の位置に位置決めすることができる。従って、長尺柄の軸回りに中間グリップを回転させる簡単な操作だけで中間グリップを長尺柄の所望の位置に位置決めすることができる。
【００１４】
請求項２に記載の発明によれば、長尺柄の軸回りに中間グリップを回転させ、リブと周面突部とを対向させた状態では、略等間隔で形成したリブは均等に周面突部に当接し、中間グリップは均等に変形する。このため中間グリップの変形がいびつな変形とならず、略円形を保つため、中間グリップの挿通孔部と長尺柄との間に生じる隙間が略一定幅となり、外観体裁がよい。
【００１５】
請求項３に記載の発明によれば、中間グリップの挿通孔部に長尺柄を挿通させる場合、中間グリップの両端部分の案内部が長尺柄を案内し、挿通させやすいため、高枝鋏を組み立てる場合において、長尺柄に中間グリップを迅速に装着することができる。
【発明を実施するための最良の形態】
【００１６】
本発明を具体化した実施形態について図１から図６に従って説明する。
【実施例１】
【００１７】
本発明の実施例１に係る高枝鋏１は、図１に示すように、全長を伸縮できる長尺柄２、鋏３、操作部４及び中間グリップ５を有する。前記鋏３は前記長尺柄２の一方に備えられる。前記操作部４は前記長尺柄２の他方に備えられ、前記鋏３を操作する。鋏３及び操作部４は、従来公知の鋏及び操作部と同様であるため、詳しい説明は省略する。
【００１８】
前記長尺柄２は、図１に示すように、前部管体２１と後部管体２２とを有する。前部管体２１と後部管体２２は、アルミニウム素材で形成された、直径の異なる管体である。図２、図３に示すように、前部管体２１は小径であり、後部管体２２の径は前部管体２１の外径よりも大である。前部管体２１及び後部管体２２にはそれぞれ１本の条溝２３ａ、２３ｂと、１本の周面突部２４ａ、２４ｂが形成される。周面突部２４ａ、２４ｂは、管体のうち、条溝２３ａ、２３ｂを除いた残りの部分である。後部管体２２の条溝２３ｂの断面形状は、略Ｕ字形状である。前部管体２１の条溝２３ａの断面形状も、略Ｕ字形状であり、前記後部管体２２の条溝２３ｂを遊嵌する形状である。前部管体２１と後部管体２２は、前部管体２１の条溝２３ａに後部管体２２の条溝２３ｂを遊嵌させた状態で、前部管体２１は後部管体２２に対して挿脱可能であり、長尺柄２の全長を伸縮できる。また、前部管体２１の条溝２３ａに後部管体２２の条溝２３ｂを遊嵌しているため、両条溝２３ａ、２３ｂが係合して前部管体２１と後部管体２２との相対的な回転は阻止される。
【００１９】
前記中間グリップ５は、図１に示すように、前記長尺柄２としての後部管体２２に装着される。図２に示すように、中間グリップ５には、後部管体２２が挿通される挿通孔部５１が形成される。挿通孔部５１の内径は、後部管体２２の外径よりも大とする。前記挿通孔部５１の内面にはリブ５２が形成される。前記リブ５２は、長尺柄２としての後部管体２２の条溝２３ｂに対向するよう、長手方向に１本形成される。リブ５２の断面形状は、後部管体２２の条溝２３ｂに遊嵌されるよう、後部管体２２の条溝２３ｂの断面形状より小とする。また、図３に示すように、リブ５２は、リブ５２と周面突部２４ｂとを対向させて挿通孔部５１に後部管体２２を挿通させた状態では、リブ５２が周面突部２４ｂに当接するように突出している。中間グリップ５は合成樹脂素材を用いて形成し、リブ５２が周面突部２４ｂに当接した場合に中間グリップ５全体が弾性変形して、リブ５２が強く後部管体２２の周面突部２４ｂに当接するようにする。リブ５２が周面突部２４ｂに当接する強さは、後部管体２２の所望の位置に中間グリップ５を位置決めできる程度の強さとする。中間グリップ５を形成する合成樹脂素材としては、リブ５２が後部管体２２の周面突部２４ｂに当接した際に位置決めに必要な摩擦力が生じる素材を用いる。例えば、ポリプロピレンにエラストマをブレンドした素材等が好ましい。尚、図１に示すように、中間グリップ５の外側には、リブ５２が形成されている位置を外側から視認するための目印５４が形成される。
【００２０】
また、中間グリップ５に形成されるリブ５２には、図４に示すように、中間グリップ５の両端では突出量を小とし、中間グリップ５の中央に向けて突出量を漸次大とした、案内部５３を形成する。即ち、挿通孔部５１の両端部では、リブ５２に傾斜面を形成し、長尺柄２を差し込む際の案内とする。
【００２１】
次に、実施例１に係る高枝鋏１において、操作部４と中間グリップ５との間隔を変更する場合について説明する。
【００２２】
まず、間隔の変更前の状態では、中間グリップ５は後部管体２２に位置決めされており、中間グリップ５のリブ５２は、後部管体２２の周面突部２４ｂに対向させた状態となっている（図３参照。）。この状態では、リブ５２は周面突部２４ｂに当接しており、後部管体２２と中間グリップ５との間に生じる強い摩擦力によって位置決めされている。
【００２３】
次に、間隔の変更する場合、後部管体２２の軸回りに中間グリップ５を回転させ、リブ５２と条溝２３ｂとを対向させる（図２参照。）。リブ５２の形状は、条溝２３ｂに遊嵌される形状であるため、長尺柄２と中間グリップ５との間の摩擦力は弱い。この状態で、使用者が中間グリップ５を移動させと、中間グリップ５は、後部管体２２の条溝２３ｂに案内されながら、使用者の軽い操作力によって移動する。尚、リブ５２と条溝２３ｂとが対向した状態であるかどうかは、中間グリップ５を回転させてリブ５２が周面突部２４ｂから条溝２３ｂに嵌る際のクリック感によって判断することができる。また、中間グリップ５の目印５４が、条溝２３ｂと重なっているかどうかで視認することもできる。
【００２４】
中間グリップ５を後部管体２２の所望の位置に移動させた後、位置決めを行なう。位置決めは後部管体２２の軸回りに中間グリップ５を回転させ、リブ５２と周面突部２４ｂとを対向させる（図３参照。）。リブ５２と周面突部２４ｂとを対向させた状態では、リブ５２は周面突部２４ｂに当接し、後部管体２２と中間グリップ５との間に強い摩擦力が生じるため、中間グリップ５を後部管体２２の所望の位置に位置決めすることができる。
【００２５】
この実施例１に係る高枝鋏１は以下の効果を有する。
【００２６】
操作部４と中間グリップ５との間隔を変更する場合には、中間グリップ５のリブ５２と長尺柄２としての後部管体２２の条溝２３ｂとを対向させた状態とすれば、長尺柄２と中間グリップ５との間の摩擦力は弱いため、軽い操作力で中間グリップ５を長尺柄２の所望の位置に移動させることができる。
【００２７】
後部管体２２に対して中間グリップ５を位置決めする場合には、後部管体２２の軸回りに中間グリップ５を回転させ、リブ５２と周面突部２４ｂとを対向させた状態にすればよい。この状態にすれば、長尺柄２と中間グリップ５との間の摩擦力は強いため、中間グリップ５を長尺柄２の所望の位置に位置決めすることができる。従って、後部管体２２の軸回りに中間グリップ５を回転させる簡単な操作だけで中間グリップ５を後部管体２２の所望の位置に位置決めすることができる。
【００２８】
操作部４と中間グリップ５との間隔を容易に変更することができるため、長尺柄２の全長を長くした場合には、操作部４と中間グリップ５との間隔を広くして、腕や肩の負担を軽減し、疲労を少なくすることができる。また、長尺柄２の全長を短くした場合には、操作部４と中間グリップ５との間隔を狭くすることにより、高枝鋏１の操作性を良くすることができる。また、操作部４と中間グリップ５との間隔を、使用者の好みや体格に応じて変更することが容易である。
【００２９】
長尺柄２としての後部管体２２には、前部管体２１との相対的な回転は阻止するための条溝２３ｂが形成されており、この条溝２３ｂを利用して中間グリップ５の位置決めをすることができる。
【００３０】
高枝鋏１の組み立てにおいて、後部管体２２に中間グリップ５を装着する工程では、中間グリップ５のリブ５２と後部管体２２の条溝２３ｂとを対向させた状態とすれば、長尺柄２と中間グリップ５との間の摩擦力は弱いため、後部管体２２の端部から中間グリップ５を軽い操作力で装着でき、組み立ての手数を削減することができる。
【００３１】
中間グリップ５に形成されるリブ５２は、案内部５３を有するため、中間グリップ５の挿通孔部５１に長尺柄２を挿通させる場合、中間グリップ５の両端部分の案内部５３が長尺柄２を案内することとなり、挿通させやすい。このため、高枝鋏１を組み立てる場合において、長尺柄２に中間グリップ５を迅速に装着することができる。
【実施例２】
【００３２】
次に本発明の実施例２に係る高枝鋏１について説明する。実施例２では、長尺柄２としての前部管体２１と後部管体２２に形成される条溝２３ａ、２３ｂ及び周面突部２４ａ、２４ｂがそれぞれ４本である点、中間グリップ５に形成されるリブ５２が４本である点が実施例１と大きく異なっている。実施例１と同一部分は同一符号を付して詳しい説明は省略する。
【００３３】
図５、図６に示すように、長尺柄２としての前部管体２１と後部管体２２には、４本の条溝２３ａ、２３ｂと４本の周面突部２４ａ、２４ｂが形成される。各条溝２３ａ、２３ｂは等間隔で形成されている。即ち、長尺柄２の断面中心に対して角度９０度ずつ離れて形成される。周面突部２４ａ、２４ｂは、長尺柄２のうち、条溝２３ａ、２３ｂを除いた残りの部分である。従って、周面突部２４ａ、２４ｂも等間隔で形成される。
【００３４】
前記中間グリップ５は、図５に示すように、前記長尺柄２としての後部管体２２に装着される。中間グリップ５の挿通孔部５１の内面にはリブ５２が形成される。リブ５２は、後部管体２２の条溝２３ｂに対向するよう、長手方向に４本、等間隔に形成される。中間グリップ５は合成樹脂素材を用いて形成し、図６に示すように、リブ５２の形状は、リブ５２が周面突部２４ｂに当接した場合に中間グリップ５全体が弾性変形して、リブ５２が強く後部管体２２の周面突部２４ｂに当接するようにする。
【００３５】
この実施例２に係る高枝鋏１によれば、実施例１の効果を有する他に、以下の効果を有する。
【００３６】
長尺柄２としての後部管体２２に形成される条溝２３ｂは４本であって、各条溝２３ｂは略等間隔で形成されており、中間グリップ５のリブ５２も略等間隔で形成されている。このため、後部管体２２の軸回りに中間グリップ５を回転させ、リブ５２と周面突部２４ｂとを対向させた状態では、略等間隔で形成したリブ５２は均等に周面突部２４ｂに当接し、中間グリップ５は均等に変形する。このため中間グリップ５の変形がいびつな変形とならず、略円形を保つため、中間グリップ５の挿通孔部５１と後部管体２２との間に生じる隙間が略一定幅となり、外観体裁がよい。
【００３７】
なお、実施の形態は上記に限定されるものではなく、以下のように変更してもよい。
【００３８】
長尺柄２に形成される条溝２３ａ、２３ｂ及び周面突部２４ａ、２４ｂの本数は、１本又は４本に限定されず、１本乃至数本形成することができる。尚、長尺柄２の軸回りに中間グリップ５を回転させ、リブ５２と周面突部２４ｂとを対向させても、中間グリップ５が均等に変化し、略円形を保つためには、条溝２３ｂ及び周面突部２４ｂの本数は、３本乃至４本が好ましい。
【００３９】
長尺柄２は全長を伸縮できるものに限定されず、全長が一定である長尺柄２であってもよい。
【図面の簡単な説明】
【００４０】
【図１】本発明の実施例１に係る高枝鋏１の正面図である。
【図２】図１のＡ―Ａ線における断面図であって、リブ５２と条溝２３ｂとが対向している状態である。
【図３】図１のＡ―Ａ線における断面図であって、リブ５２と周面突部２４ｂとが対向している状態である。
【図４】図３のＢ−Ｂ線における断面図である。
【図５】本発明の実施例２に係る高枝鋏１の中間グリップ５の断面図であって、リブ５２と条溝２３ｂとが対向している状態である。
【図６】本発明の実施例２に係る高枝鋏１の中間グリップ５の断面図であって、リブ５２と周面突部２４ｂとが対向している状態である。
【図７】従来の高枝鋏６の正面図である。
【図８】図７のＣ―Ｃ線における断面図である。
【符号の説明】
【００４１】
１      高枝鋏
２      長尺柄
２１    前部管体
２２    後部管体
２３ａ、２３ｂ    条溝
２４ａ、２４ｂ    周面突部
３      鋏
４      操作部
５      中間グリップ
５１    挿通孔部
５２    リブ
５３    案内部
５４    目印
６      従来の高枝鋏
６１    従来の高枝鋏６の鋏
６２    従来の高枝鋏６の操作部
６３    従来の高枝鋏６の中間グリップ
６４    従来の高枝鋏６の長尺柄
６５    従来の高枝鋏６の挿通孔
６６    従来の高枝鋏の凸条
【図１】
2006280235.tif 000003
【図２】
2006280235.tif 000004
【図３】
2006280235.tif 000005
【図４】
2006280235.tif 000006
【図５】
2006280235.tif 000007
【図６】
2006280235.tif 000008
【図７】
2006280235.tif 000009
【図８】
2006280235.tif 000010